(57)【要約】【課題】導電性異物の検出作業を、厚み調整フィルムの厚みを変えることなく行うことができる厚み調整フィルムの製造装置、及び厚み調整フィルムの製造方法を提供すること。【解決手段】厚み調整フィルムの製造装置は、切断装置で得られた厚み調整フィルム２１の厚み方向の両面に対峙して配置された異物検出センサロール６１を備える。一対の異物検出センサロール６１は、厚み調整フィルム２１の厚み以上の間隔を空けて配置されている。各異物検出センサロール６１は、その中心軸線の延びる方向に間隔を空けて交互に配置された第１配線電極６３及び第２配線電極６４と、第１配線電極６３及び第２配線電極６４に接続された電源６６とを備える。また、各異物検出センサロール６１は、電源６６によって一定電圧を印加した第１配線電極６３と第２配線電極６４とが導電性異物３９を介して短絡したときの電気的な数値を測定する電流計６５と、を備える。【選択図】図４
2017016735.tif 000002
【特許請求の範囲】
【請求項１】
蓄電装置の電極組立体とケースの内面との隙間に設けられる短冊状の厚み調整フィルムの製造装置であって、
前記短冊状の前記厚み調整フィルムとする前の帯状の材料を繰り出す繰出装置と、
前記繰出装置から繰り出された前記材料を短冊状に切断して厚み調整フィルムとする切断装置と、
前記切断装置で得られた前記厚み調整フィルムの厚み方向の両面に対峙して配置された異物検出センサロールと、を備え、
一対の前記異物検出センサロールは、前記厚み調整フィルムの厚み以上の間隔を空けて配置され、
各異物検出センサロールは、該異物検出センサロールの表面に間隔を空けて交互に配置され、かつ異なる極性の第１配線電極及び第２配線電極と、
前記第１配線電極及び前記第２配線電極に接続された電源と、
前記電源によって一定電圧を印加した前記第１配線電極と前記第２配線電極とが導電性異物を介して短絡したときの電気的な数値を測定する計測器と、を備える厚み調整フィルムの製造装置。
【請求項２】
前記第１配線電極と前記第２配線電極とが前記導電性異物を介して短絡した際に前記厚み調整フィルムに形成された孔を検出する光学検出装置を備える請求項１に記載の厚み調整フィルムの製造装置。
【請求項３】
前記導電性異物の検出されなかった前記厚み調整フィルムを収容する容器を備える請求項１又は請求項２に記載の厚み調整フィルムの製造装置。
【請求項４】
蓄電装置の電極組立体とケースの内面との隙間に設けられる短冊状の厚み調整フィルムの製造方法であって、
短冊状の厚み調整フィルムとする前の帯状の材料を切断して前記厚み調整フィルムとした後、前記厚み調整フィルムを一対の異物検出センサロールの間を通過させ、
前記異物検出センサロールの表面に間隔を空けて交互に配置され、かつ異なる極性の第１配線電極と第２配線電極とを、前記厚み調整フィルムに付着した導電性異物によって短絡させ、短絡したときの電気的な数値の変化から前記導電性異物を検出することを特徴とする厚み調整フィルムの製造方法。
【発明の詳細な説明】
【技術分野】
【０００１】
本発明は、蓄電装置の電極組立体とケースの内面との隙間に設けられる短冊状の厚み調整フィルムの製造装置、及び厚み調整フィルムの製造方法に関する。
【背景技術】
【０００２】
二次電池やキャパシタのような蓄電装置は再充電が可能であり、繰り返し使用することができるため電源として広く利用されている。例えば、ＥＶ（Electric Vehicle）やＰＨＶ（Plug-in Hybrid Vehicle）などの車両に搭載される蓄電装置としては、リチウムイオン二次電池や、ニッケル水素二次電池などがよく知られている。そして、蓄電装置は、ケース内に電極組立体を備える。電極組立体は、シート状の正極電極及びシート状の負極電極が、間にセパレータが存在する状態で積層又は巻回されて構成されている。
【０００３】
ところで、特に角型ケースを用いた蓄電装置では、ケースの内面とケース内に収容される電極組立体との隙間に、隙間の大きさに合わせて適切な枚数の薄いシート状の間隙充填部（厚み調整フィルム）を挿入することによって、隙間を塞いでいる（例えば、特許文献１参照）。
【０００４】
厚み調整フィルムは、一般に、帯状の材料を予め設定された長さに切断して製造されるが、切断装置の摺動部から発生した金属粉等の導電性異物が厚み調整フィルムに付着する場合がある。厚み調整フィルムは、電極組立体に隣接する状態でケース内に収容されるため、厚み調整フィルムに導電性異物が付着していると、導電性異物の大きさによっては、充放電に伴う電極組立体の膨張時に、厚み調整フィルムが押圧され、導電性異物が厚み調整フィルムを貫通した状態になる場合がある。
【０００５】
そして、導電性異物が貫通した状態の厚み調整フィルムを使用して蓄電装置を製造すると、製造された蓄電装置で不具合が発生するおそれがある。例えば、金属製ケースを用いる蓄電装置にて、厚み調整フィルムが電極組立体とケースとの間に配置されている場合、導電性異物が、電極組立体を構成する金属箔とケースとを接触状態とするおそれがある。このため、厚み調整フィルムに、不具合の原因となるような導電性異物が付着していないことが望ましく、厚み調整フィルムの製造段階で導電性異物を検出し、導電性異物の付着した厚み調整フィルムを生産ラインから取り除くのが好ましい。
【０００６】
例えば、特許文献２には、厚み調整フィルムでの導電性異物の検出についてではないが、シート状電極積層体の導電性異物を検出するための装置が開示されている。特許文献２の製造装置は、一対の測定用電極として電極ロールを備え、それら電極ロールをシート状電極の積層方向に押し付けた状態で、一対の電極ロール間に電圧を印加して電気抵抗値を測定し、測定された電気抵抗値から導電性異物を検出する。
【先行技術文献】
【特許文献】
【０００７】
【特許文献１】特開２００９−４８９６６号公報
【特許文献２】特開２００９−１７０１３４号公報
【発明の概要】
【発明が解決しようとする課題】
【０００８】
ところで、厚み調整フィルムは、ケースの内面と電極組立体との隙間の大きさに合わせて適切な枚数が使用されるものである。このため、厚み調整フィルムの厚みは、予め設定された所定の厚みに維持されているのが好ましい。一方で、特許文献２の技術において、導電性異物の存在が、電気抵抗値に反映される状態とは、電極ロールによって、導電性異物が加圧され、シート状電極に食い込んだ状態である。しかし、導電性異物の検出作業を行うために、導電性異物がシート状電極に食い込むほど、強く厚み調整フィルムに電極ロールが押し付けられると、その押圧によって厚み調整フィルムの厚みが所定の厚みより薄くなってしまい、導電性異物の付着していない厚み調整フィルムの厚みが所定の厚みから変わってしまう。
【０００９】
本発明は、前記の問題に鑑みてなされたものであって、その目的は、導電性異物の検出作業を、厚み調整フィルムの厚みを変えることなく行うことができる厚み調整フィルムの製造装置、及び厚み調整フィルムの製造方法を提供することにある。
【課題を解決するための手段】
【００１０】
上記問題点を解決するための厚み調整フィルムの製造装置は、蓄電装置の電極組立体とケースの内面との隙間に設けられる短冊状の厚み調整フィルムの製造装置であって、前記短冊状の前記厚み調整フィルムとする前の帯状の材料を繰り出す繰出装置と、前記繰出装置から繰り出された前記材料を短冊状に切断して厚み調整フィルムとする切断装置と、前記切断装置で得られた前記厚み調整フィルムの厚み方向の両面に対峙して配置された異物検出センサロールと、を備え、一対の前記異物検出センサロールは、前記厚み調整フィルムの厚み以上の間隔を空けて配置され、各異物検出センサロールは、該異物検出センサロールの表面に間隔を空けて交互に配置され、かつ異なる極性の第１配線電極及び第２配線電極と、前記第１配線電極及び前記第２配線電極に接続された電源と、前記電源によって一定電圧を印加した前記第１配線電極と前記第２配線電極とが導電性異物を介して短絡したときの電気的な数値を測定する計測器と、を備えることを要旨とする。
【００１１】
これによれば、切断装置による材料の切断時に導電性異物が発生し、その導電性異物が短冊状の厚み調整フィルムに付着する場合がある。この場合、厚み調整フィルムが一対の異物検出センサロールの間を通過する際、導電性異物を介して第１配線電極と第２配線電極が短絡する。すると、第１配線電極と第２配線電極とが導通し、計測器によって測定される電気的な数値は、短絡していない場合から変化する。この電気的な数値の変化から、導電性異物を検出することができる。導電性異物を検出する異物検出センサロールにおいて、その表面に第１配線電極及び第２配線電極を配置し、かつ一対の異物検出センサロールは、厚み調整フィルムの厚み以上の間隔を空けて配置されている。このため、一対の異物検出センサロールで厚み調整フィルムを厚み方向に押圧しなくても、その異物検出センサロールの表面で導電性異物の検出を行うことができ、導電性異物の検出作業を、厚み調整フィルムの厚みを変えることなく行うことができる。
【００１２】
また、厚み調整フィルムの製造装置について、前記第１配線電極と前記第２配線電極とが前記導電性異物を介して短絡した際に前記厚み調整フィルムに形成された孔を検出する光学検出装置を備えていてもよい。
【００１３】
これによれば、導電性異物を介して第１配線電極と第２配線電極とが短絡すると、第１配線電極と第２配線電極に印加されている電圧によって導電性異物が発熱し、その熱によって厚み調整フィルムに孔が空く。すると、厚み調整フィルムにおける孔の開いた部分は、その他の部分と比べて光の透過の仕方が異なるため、光学検出装置によって孔が検出しやすくなり、不適合な厚み調整フィルムを適格に検出することができる。
【００１４】
また、厚み調整フィルムの製造装置において、前記導電性異物の検出されなかった前記厚み調整フィルムを収容する容器を備える。
これによれば、導電性異物の付着していない適正な厚み調整フィルムを回収することができる。
【００１５】
また、上記問題点を解決するための厚み調整フィルムの製造方法は、蓄電装置の電極組立体とケースの内面との隙間に設けられる短冊状の厚み調整フィルムの製造方法であって、短冊状の厚み調整フィルムとする前の帯状の材料を切断して前記厚み調整フィルムとした後、前記厚み調整フィルムを一対の異物検出センサロールの間を通過させ、前記異物検出センサロールの表面に間隔を空けて交互に配置され、かつ異なる極性の第１配線電極と第２配線電極とを、前記厚み調整フィルムに付着した導電性異物によって短絡させ、短絡したときの電気的な数値の変化から前記導電性異物を検出することを要旨とする。
【００１６】
これによれば、短冊状の厚み調整フィルムに導電性異物が付着していた場合、一対の異物検出センサロールの間を通過させると、導電性異物を介して第１配線電極と第２配線電極が短絡する。この短絡に伴う電気的な数値の変化により、短冊状の厚み調整フィルムに導電性異物が付着していたことを検出することができる。
【００１７】
よって、異物検出センサロールの表面での導電性異物の短絡に基づいて導電性異物を検出するため、厚み調整フィルムを厚み方向に押圧することなく導電性異物の検出作業を行うことができ、導電性異物の検出作業を、厚み調整フィルムの厚みを変えることなく行うことができる。
【発明の効果】
【００１８】
本発明によれば、導電性異物の検出作業を、厚み調整フィルムの厚みを変えることなく行うことができる。
【図面の簡単な説明】
【００１９】
【図１】実施形態の二次電池の外観を示す斜視図。
【図２】電極組立体の構成要素を示す分解斜視図。
【図３】（ａ）は厚み調整フィルムの製造装置を模式的に示す図、（ｂ）は一対の異物検出センサロール間を拡大して示す図。
【図４】異物検出センサロールを模式的に示す斜視図。
【図５】導電性異物の消失によって厚み調整フィルムに空いた孔を示す図。
【発明を実施するための形態】
【００２０】
以下、厚み調整フィルムの製造装置、及び製造方法を具体化した一実施形態を図１〜図５にしたがって説明する。
まず、厚み調整フィルムが用いられる蓄電装置としての二次電池について説明する。
【００２１】
図１に示すように、蓄電装置としての二次電池１０は、ケース１１に電極組立体１２が収容されている。ケース１１は、直方体状の本体部材１３と、本体部材１３の開口部を閉塞する矩形平板状の蓋部材１４とからなる。ケース１１を構成する本体部材１３と蓋部材１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００２２】
電極組立体１２は、正極端子１５及び負極端子１６と電気的に接続される。正極端子１５及び負極端子１６には、ケース１１から絶縁するためのリング状の絶縁リング１７がそれぞれ取り付けられている。
【００２３】
図２に示すように、電極組立体１２は、シート状の正極電極１８と、シート状の負極電極１９と、正極電極１８と負極電極１９の間を絶縁するシート状のセパレータ２０と、を有する。そして、電極組立体１２は、正極電極１８と負極電極１９との間にセパレータ２０を配置した状態で層状に重ね合わせた積層体とされる。また、電極組立体１２は、複数枚の正極電極１８と複数枚の負極電極１９を交互に重ね合わせて構成される。
【００２４】
二次電池１０は、電極組立体１２の積層方向の一端面と、一端面に対向した本体部材１３の内面との隙間に挿入された厚み調整フィルム２１を備える。厚み調整フィルム２１は、隙間の大きさに合わせて適切な枚数が選択され、隙間を塞いでいる。厚み調整フィルム２１は樹脂製（ポリプロピレン製）であり、予め設定された所定の厚みを有する。
【００２５】
次に、厚み調整フィルム２１の製造装置３０について説明する。
図３（ａ）に示すように、製造装置３０は、厚み調整フィルム２１を短冊状とする前の帯状の材料２２を繰り出す繰出装置３１と、帯状の材料２２を切断する切断装置４１と、切断装置４１で切断された短冊状の厚み調整フィルム２１を移動させる移動装置５１とを備えている。なお、繰出装置３１から材料２２が繰り出された方向を、材料２２の搬送方向Ｘとすると、切断装置４１は、搬送方向Ｘにおける繰出装置３１の下流側にある。
【００２６】
また、製造装置３０は、移動装置５１による短冊状の厚み調整フィルム２１の移動経路５２に設けられた一対の異物検出センサロール６１を備え、各異物検出センサロール６１は、厚み調整フィルム２１の厚み方向の各面に対峙して配置されている。異物検出センサロール６１は搬送方向Ｘにおける移動装置５１より下流側に設けられている。さらに、製造装置３０は、異物検出センサロール６１が設けられた位置より搬送方向Ｘの下流側に設けられ、移動経路５２の上の短冊状の厚み調整フィルム２１を撮影可能な光学検出装置７１と、この光学検出装置７１より下流側に設けられた容器５３とを備えている。
【００２７】
繰出装置３１は、帯状の材料２２がロール状に巻回された供給リール３２を支持して帯状の材料２２を繰り出すように構成されている。切断装置４１は、所定位置に固定された下刃４１ａと、上下方向に移動可能に設けられ、下刃４１ａと協同して帯状の材料２２を予め設定された長さに切断する上刃４１ｂとで構成されている。繰出装置３１と切断装置４１との間には、供給リール３２から繰り出された帯状の材料２２を切断装置４１へ送り出す送りロール３３が設けられている。
【００２８】
移動装置５１は、切断装置４１と異物検出センサロール６１との間で短冊状の厚み調整フィルム２１を搬送方向Ｘに移動させる第１の移動装置５１ａと、異物検出センサロール６１が設けられた位置より下流側に設けられた第２の移動装置５１ｂとで構成されている。第２の移動装置５１ｂは、異物検出センサロール６１による異物検出作業後の短冊状の厚み調整フィルム２１を、厚み調整フィルム２１を積載収容する容器５３まで搬送する役割を果たす。第１の移動装置５１ａ及び第２の移動装置５１ｂは共にベルトコンベアで構成されている。第２の移動装置５１ｂのベルトコンベアに用いられるベルトは、半透明の樹脂ベルトである。
【００２９】
光学検出装置７１は、第２の移動装置５１ｂの上方に設けられたＣＣＤカメラ７２と、ベルトコンベアのベルトを挟んでＣＣＤカメラ７２の下方に設けられた光源７３とを含む。ＣＣＤカメラ７２の検出信号は図示しないコンピュータに入力され、コンピュータは、ＣＣＤカメラ７２の検出信号を画像解析して、短冊状の厚み調整フィルム２１に孔２１ａ（図５に図示）が存在するか否かを判断する。
【００３０】
次に、異物検出センサロール６１について詳細に説明する。
図４に示すように、異物検出センサロール６１は、それぞれ熱硬化性樹脂製の円柱状のロール本体６２を備える。各異物検出センサロール６１は、ロール本体６２の表面に配置された第１配線電極６３及び第２配線電極６４を備える。なお、説明を分かり易くするため、図４では、第１配線電極６３を実線で示し、第２配線電極６４を一点鎖線で示している。
【００３１】
第１配線電極６３及び第２配線電極６４は、導電性を有する微細な線材であり、ロール本体６２の表面から露出し、かつ表面と面一となる状態でロール本体６２に埋設されている。第１配線電極６３及び第２配線電極６４は、ロール本体６２の中心軸線の延びる方向において、一定間隔を空けて離れているとともに、ロール本体６２の外周面に沿って螺旋状に配置されている。このため、ロール本体６２の中心軸線の延びる方向に沿って一端から他端に向けて、第１配線電極６３と第２配線電極６４が交互に配置されている。
【００３２】
第１配線電極６３と第２配線電極６４の一端は、それぞれロール本体６２に引き込まれ、それら一端には、計測器としての電流計６５を介して電源６６に接続されている。電源６６は、第１配線電極６３及び第２配線電極６４にそれぞれ導通し、これにより第１配線電極６３と第２配線電極６４と電流計６５とを含む測定用回路を構成する。そして、電源６６は、第１配線電極６３と第２配線電極６４との間に、予め設定された一定電圧を印加可能であり、電圧を印加する際、第１配線電極６３は正極となり、第２配線電極６４は負極となる。印加電圧は、例えば、１００〜１０００Ｖ程度である。
【００３３】
第１配線電極６３と第２配線電極６４が、導電性異物３９を介して短絡すると、測定用回路が閉回路となり、電流計６５で計測される電気的な数値である電流値が、短絡前から変化する。電流計６５は、この電流値の変化を検出信号として出力する。電流計６５から出力された検出信号は、図示しないコンピュータに入力され、コンピュータは、導電性異物３９が検出された旨を報知する。
【００３４】
ロール本体６２の中心軸線の延びる方向に隣り合う第１配線電極６３と第２配線電極６４の間に、導電性異物３９が入り込んだ際、導電性異物３９を介して第１配線電極６３と第２配線電極６４が短絡するようにするため、第１配線電極６３と第２配線電極６４の間隔は、導電性異物３９に合わせて予め一定の値に設定されている。導電性異物３９の大きさ（粒径）は、ほとんどが１００μｍ以下である。また、混入により、厚み調整フィルム２１に悪影響が生じる導電性異物３９のサイズは、例えば、１０μｍ以上である。このため、第１配線電極６３と第２配線電極６４を導電性異物３９を介して短絡させるために、隣り合う第１配線電極６３と第２配線電極６４の線幅／線間隔（所謂ライン／スペース：Ｌ／Ｓ）は、１０〜５０／１０〜５０μｍに設定されている。
【００３５】
一対の異物検出センサロール６１は、短冊状の厚み調整フィルム２１を加圧（プレス）し、導電性異物３９を厚み調整フィルム２１に食い込ませるものではなく、通過する厚み調整フィルム２１に付着した導電性異物３９を、接触により検出するために設けられている。
【００３６】
図３（ｂ）に示すように、異物検出センサロール６１同士の間隔は、厚み調整フィルム２１の厚み以上に設定されている。詳述すると、両異物検出センサロール６１の間隔は、厚み調整フィルム２１の表面から突出した導電性異物３９に対し、異物検出センサロール６１の表面が接触しても、一対の異物検出センサロール６１によって厚み調整フィルム２１が押圧されないような一定間隔に設定されている。上述のように、問題となる導電性異物３９の大きさは、１０〜１００μｍであることから、両異物検出センサロール６１の間隔は、厚み調整フィルム２１の厚みに導電性異物３９の大きさを加えた値に設定されている。本実施形態では、問題となる導電性異物３９の大きさの最小値である１０μｍを厚み調整フィルム２１の厚みに加えた値を、異物検出センサロール６１の間隔に設定した。
【００３７】
導電性異物３９は、主に本製造装置３０を含む生産ラインにおいて、切断装置４１における下刃４１ａと上刃４１ｂとの摺動部に起因する金属粉がほとんどであり、切断装置４１によって材料２２を切断した際に、導電性異物３９が厚み調整フィルム２１に付着する。このため、材料２２の搬送方向Ｘにおける切断装置４１の下流側で、異物検出センサロール６１によって導電性異物３９の検出作業を行う。
【００３８】
次に前記のように構成された厚み調整フィルムの製造装置を使用した厚み調整フィルムの製造方法を作用とともに説明する。
まず、図３（ａ）に示すように、供給リール３２から帯状の材料２２が繰り出され、帯状の材料２２が切断装置４１により予め設定された長さに切断されて、短冊状の厚み調整フィルム２１となる。短冊状の厚み調整フィルム２１は、第１の移動装置５１ａによるコンベア搬送で一対の異物検出センサロール６１まで搬送される。
【００３９】
短冊状の厚み調整フィルム２１は、一対の異物検出センサロール６１の間を通過する。このとき、図３（ｂ）に示すように、一対の異物検出センサロール６１は、厚み調整フィルム２１を厚み方向に押圧しない。そして、第１配線電極６３と第２配線電極６４には電圧が印加されており、短冊状の厚み調整フィルム２１の表面に、短絡の原因となるような、所定の粒径以上の導電性異物３９が付着している場合は、その導電性異物３９を介して第１配線電極６３と第２配線電極６４が短絡する。すると、第１配線電極６３と第２配線電極６４が導通し、電流計６５で計測される電流値が、短絡していない場合と異なる値となる。電流計６５は、電流値が変化した旨を示す検出信号をコンピュータに出力する。コンピュータは、電流値が変化した旨を報知し、この報知により、導電性異物３９が検出できる。
【００４０】
また、導電性異物３９が瞬時に通電、発熱して、短冊状の厚み調整フィルム２１に、図５に示すような孔２１ａが形成される。この孔２１ａは、ＣＣＤカメラ７２により画像撮影可能な大きさである。そして、異物検出センサロール６１を通過した短冊状の厚み調整フィルム２１は、移動経路５２によって光学検出装置７１まで搬送され、光学検出装置７１でＣＣＤカメラ７２による検査を受ける。詳述すると、短冊状の厚み調整フィルム２１は、第２の移動装置５１ｂにより搬送される途中で、ＣＣＤカメラ７２により撮影され、その撮像データがコンピュータに入力される。
【００４１】
そして、コンピュータは、ＣＣＤカメラ７２の検出信号を画像解析して、短冊状の厚み調整フィルム２１に孔２１ａが存在するか否かを判断する。そして、厚み調整フィルム２１に孔２１ａが存在しなければ、厚み調整フィルム２１のコンベア搬送が継続され、厚み調整フィルム２１が容器５３内に積載される。
【００４２】
一方、コンピュータは、画像解析した短冊状の厚み調整フィルム２１に孔２１ａが存在すると判断すると、その旨を報知し、孔２１ａが存在する厚み調整フィルム２１の排出が図示しない排出装置によって行われる。
【００４３】
上記実施形態によれば、以下のような効果を得ることができる。
（１）厚み調整フィルムの製造装置３０は、材料２２を切断した後に、厚み調整フィルム２１における導電性異物３９の検出作業を行う異物検出センサロール６１を一対備える。一対の異物検出センサロール６１の表面には、第１配線電極６３及び第２配線電極６４が配置されており、第１配線電極６３と第２配線電極６４に電圧を印加し、導電性異物３９によって第１配線電極６３と第２配線電極６４が短絡したときの電流値の変化により、導電性異物３９を検出可能とした。
【００４４】
よって、厚み調整フィルム２１を一対の異物検出センサロール６１で強く押圧しなくても、厚み調整フィルム２１に付着した導電性異物３９を検出することができる。その結果として、導電性異物３９の検出作業を、厚み調整フィルム２１の厚みを変えることなく行うことができ、得られる厚み調整フィルム２１の厚みを所定の厚みに維持することができる。
【００４５】
（２）一対の異物検出センサロール６１の間隔を、問題となる導電性異物３９の大きさの最小値（１０μｍ）を厚み調整フィルム２１の厚みに加えた値に設定した。このため、一対の異物検出センサロール６１の間を厚み調整フィルム２１が通過する際、異物検出センサロール６１によって厚み調整フィルム２１が押圧されない一方で、導電性異物３９を異物検出センサロール６１の表面に接触させることができる。その結果、厚み調整フィルム２１の厚みを変えずに、導電性異物３９の検出作業を行うことができる。
【００４６】
（３）厚み調整フィルム２１に導電性異物３９が付着していると、導電性異物３９を介して第１配線電極６３と第２配線電極６４が短絡し、その短絡に伴い導電性異物３９が発熱し、その熱によって厚み調整フィルム２１に孔２１ａが空く。そして、一対の異物検出センサロール６１を通過後に、厚み調整フィルム２１がＣＣＤカメラ７２で撮影されることにより、孔２１ａの有無が検出される。このとき、ＣＣＤカメラ７２は、孔２１ａを透過した光を撮影することができ、孔２１ａが検出しやすくなる。したがって、導電性異物３９が付着した厚み調整フィルム２１を検出しやすくなる。
【００４７】
（４）厚み調整フィルムの製造装置３０は、光学検出装置７１より下流側に容器５３を備え、導電性異物３９の検出されなかった厚み調整フィルム２１を積層収容する。このため、正常な厚み調整フィルム２１を所定枚数だけ積層して回収することができる。
【００４８】
（５）第１配線電極６３及び第２配線電極６４の線幅／線間隔を１０〜５０／１０〜５０μｍに設定し、線幅／線間隔を、問題となる導電性異物３９の大きさの範囲である１０〜１００μｍを含む値に設定した。このため、第１配線電極６３と第２配線電極６４の間に導電性異物３９が入り込んだ場合には、その導電性異物３９を介して第１配線電極６３と第２配線電極６４を短絡させることができる。
【００４９】
（６）厚み調整フィルムの製造装置３０において、搬送方向Ｘにおける切断装置４１より下流側に一対の異物検出センサロール６１を配置した。このため、材料２２を切断して得られた厚み調整フィルム２１について、異物検出センサロール６１によって導電性異物３９の検出を行うことができる。切断装置４１による材料２２の切断に伴い発生する金属粉が導電性異物３９として厚み調整フィルム２１に付着しても、異物検出センサロール６１を通過させることで導電性異物３９を検出することができる。
【００５０】
なお、上記実施形態は以下のように変更してもよい。
○  容器５３は無くてもよく、この場合は、異物検出センサロール６１を通過して第２の移動装置５１ｂで搬送された厚み調整フィルム２１を手作業やピックアップ装置等で別場所に移動させる。
【００５１】
○  光学検出装置７１は無くてもよい。この場合、異物検出センサロール６１を通過した後の厚み調整フィルム２１を目視で確認して、孔２１ａの有無を検出する。
○  光学検出装置７１において、光源７３は無くてもよく、ＣＣＤカメラ７２だけで厚み調整フィルム２１に形成された孔２１ａを撮影してもよい。
【００５２】
○  異物検出センサロール６１の第１配線電極６３及び第２配線電極６４は１本ずつとしたが、これに限らない。第１配線電極及び第２配線電極をリング状として、ロール本体６２の中心軸線の延びる方向へ第１配線電極と第２配線電極を交互に複数配置してもよい。
【００５３】
又は、第１配線電極及び第２配線電極を、ロール本体６２の中心軸線の延びる方向に平行な直線状とし、ロール本体６２の周方向に沿って第１配線電極と第２配線電極を交互に複数配置してもよい。
【００５４】
要は、第１配線電極と第２配線電極との間に導電性異物３９が入り込んだ際に、その導電性異物３９を介して第１配線電極と第２配線電極が短絡して電流値に変化を生じさせることができれば、第１配線電極と第２配線電極の配置の仕方は適宜変更してもよい。
【００５５】
○  第１配線電極６３及び第２配線電極６４の線幅／線間隔を１０〜５０／１０〜５０μｍに設定したが、導電性異物３９を介して第１配線電極６３と第２配線電極６４が短絡して電流値に変化を生じさせることができれば、線幅／線間隔の値は、生じる導電性異物３９の大きさに合わせて変更してもよい。
【００５６】
○  実施形態では、一対の異物検出センサロール６１の間隔を、厚み調整フィルム２１に導電性異物３９の大きさを加えたものとし、厚み調整フィルム２１より広くしたが、一対の異物検出センサロール６１の間隔を、厚み調整フィルム２１の厚みと同じにしてもよい。
【００５７】
○  実施形態では、計測器を電流計６５に具体化したが、計測器は電気的抵抗を測定するものであってもよいし、電圧を測定するものであってもよい。
○  厚み調整フィルム２１を移動させる移動装置５１は、超音波搬送等の非接触搬送装置であってもよい。
【００５８】
○  厚み調整フィルムの製造装置３０を用いた導電性異物３９の検査は、シート状の樹脂部材に付着した導電性異物３９の検査に適用してもよく、例えば、電極組立体１２を構成するセパレータ２０の導電性異物３９の検査に適用してもよい。
【００５９】
○  蓄電装置における電極組立体は、積層型、即ち、電極を複数枚積層した構成としたものに適用したが、捲回型、即ち、帯状電極を捲回したものに適用してもよい。
○  蓄電装置としてリチウムイオン電池以外に適用してもよい。例えば、蓄電装置をニッケル水素二次電池等に適用してもよいし、リチウムイオンキャパシタ等に適用してもよい。
【００６０】
次に、上記実施形態及び別例から把握できる技術的思想について以下に追記する。
（イ）前記蓄電装置は二次電池である厚み調整フィルムの製造装置。
【符号の説明】
【００６１】
１０…蓄電装置としての二次電池、１１…ケース、１２…電極組立体、２１…厚み調整フィルム、２１ａ…孔、２２…材料、３０…製造装置、３１…繰出装置、３９…導電性異物、４１…切断装置、５３…容器、６１…異物検出センサロール、６３…第１配線電極、６４…第２配線電極、６５…計測器としての電流計、６６…電源、７１…光学検出装置。
【図１】
2017016735.tif 000003
【図２】
2017016735.tif 000004
【図３】
2017016735.tif 000005
【図４】
2017016735.tif 000006
【図５】
2017016735.tif 000007